(57)【要約】      （修正有）【課題】筆記具レフィルを収納するケースの再利用が可能であるとともに、熱変色性インキを内蔵するレフィルを新たに収容する筆記具本体に摩擦体が設けられていない場合であっても、熱変色性インキによる筆跡を容易且つ確実に熱変化させることができる筆記具レフィル収納体とそれを用いる筆記具本体、筆記具セットを提供する。【解決手段】開口部２１をキャップ３で開閉する容器本体２内に、一本以上の筆記具レフィル４を収納したレフィル収納体１であって、筆記具レフィル４が熱変色性インキを内蔵するとともに、キャップ３と容器本体２の少なくとも一方が摩擦体となる。筆記具本体は筆記具レフィル４が収容される。筆記具セットは筆記具レフィル収納体１と筆記具本体からなる。【選択図】図１
2015128891.tif 000002
【特許請求の範囲】
【請求項１】
開口部をキャップで開閉する容器本体内に、一本以上の筆記具レフィルを収納したレフィル収納体であって、前記筆記具レフィルが熱変色性インキを内蔵するとともに、前記キャップと容器本体の少なくとも一方が摩擦体となることを特徴とする筆記具レフィル収納体。
【請求項２】
クリップを備えてなる請求項１記載の筆記具レフィル収納体。
【請求項３】
前記キャップの前端又は容器本体の後端が摩擦部分となる請求項１又は２に記載の筆記具レフィル収納体。
【請求項４】
前記キャップの後部が容器本体の開口部内に挿入されてキャップ嵌合するとともに、前記キャップ後部が摩擦部分となる請求項１乃至３のいずれかに記載の筆記具レフィル収納体。
【請求項５】
前記キャップの後部が容器本体の開口部内に挿入係止される小径部であり、前部が摩擦部分となる大径部である請求項１乃至４のいずれかに記載の筆記具レフィル収納体。
【請求項６】
前記請求項１乃至５のいずれかに記載の筆記具レフィル収納体を構成する筆記具レフィルが収容される筆記具本体。
【請求項７】
前記筆記具本体が摩擦体を備えておらず、筆記具レフィル収納体のキャップと容器本体の少なくとも一方が摩擦体として装着可能である請求項６記載の筆記具本体。
【請求項８】
前記筆記具本体が係止孔を有し、前記係止孔に前記摩擦体が嵌合、係合、螺合、挟持のいずれかの方法で装着されることを特徴とする請求項６又は７に記載の筆記具本体。
【請求項９】
前記筆記具本体が保護キャップを有し、前記保護キャップの頂部に摩擦体が前端突出状態で取り付けられることを特徴とする請求項６乃至８のいずれかに記載の筆記具本体。
【請求項１０】
前記筆記具本体がペン先出没用のスライドレバーを有し、軸筒の頂部に摩擦体が前端突出状態で取り付けられることを特徴とする請求項６乃至８のいずれかに記載の筆記具本体。
【請求項１１】
前記請求項１乃至５のいずれかに記載の筆記具レフィル収納体と、前記請求項６乃至１０のいずれかに記載の筆記具本体とからなる筆記具セット。
【発明の詳細な説明】
【技術分野】
【０００１】
本発明は筆記具レフィル収納体に関する。更には、キャップ付容器本体内に筆記具レフィルを収納した筆記具レフィル収納体と、それを用いる筆記具本体と、これらからなる筆記具セットに関する。
【背景技術】
【０００２】
従来、ボールペン等の筆記具においては、インキを内蔵するレフィルが、交換可能な構造を有する軸筒内に収容されることで、インキ消費後に新しいレフィルに交換して再利用できるものが広く販売されている。また、ユーザーが好みのレフィルと、別体の筆記具本体（空の軸筒）をそれぞれ複数種から選択して購入し、オリジナルの筆記具として使用できるカスタマイズ筆記具セットも販売されている。
前記各筆記具に適用されるレフィルは、一般にフィルム内に収納包装された状態で店頭に陳列、販売されている（例えば、特許文献１参照）。これに対して、レフィル陳列時や輸送時の省スペース化を図ることを目的に、キャップ付筒状容器（ケース）に収納したもの（例えば、特許文献２参照）や、複数本（同色又は異色）を吊下げ可能なケースに収納したものが販売されている。
【先行技術文献】
【特許文献】
【０００３】
【特許文献１】特開２００８−２４７４５２号公報
【特許文献２】特開２０１０−１２０６８４号公報
【０００４】
特許文献２等の後者の収納容器は、樹脂成型によるケースが使用されているため、収納するレフィルの保護力が高く、更に陳列販売時の見栄えが良いものである。
しかしながら、レフィルを取り出して筆記具に収容した後には、ケースの用途はなく廃棄されるものであった。
【０００５】
また、熱変色性インキを内蔵するレフィルを収容した熱変色性筆記具においては、紙面に形成した筆跡を素早く且つ容易に熱変化させるために、弾性を有する摩擦体が一般的に適用されているが、前述の交換用（カスタマイズ用）レフィルが収容可能な筆記具本体においては、複数種から選択可能であるため、筆記具本体に摩擦体が設けられていない場合がある。この場合、筆記した直後の筆跡を摩擦熱で容易に消色や色変わり（変色）させることが困難となるため、熱変色性筆記具としての実用性に欠くものとなる。そのため、熱変色性インキを内蔵するレフィルをカスタマイズ筆記具に適用することは困難であった。
【発明の概要】
【発明が解決しようとする課題】
【０００６】
本発明は前述の不具合を解消するものであって、筆記具レフィルを収納するケースの再利用が可能であるとともに、熱変色性インキを内蔵するレフィルを新たに収容する筆記具本体に摩擦体が設けられていない場合であっても、熱変色性インキによる筆跡を容易且つ確実に熱変化させることができる実用性に優れた筆記具レフィル収納体を提供するものである。
更に、筆記具レフィル収納体を構成するレフィルや摩擦体を用いることができる筆記具本体と、これらからなる筆記具セットを提供するものである。
【課題を解決するための手段】
【０００７】
本発明は、開口部をキャップで開閉する容器本体内に、一本以上の筆記具レフィルを収納したレフィル収納体であって、前記筆記具レフィルが熱変色性インキを内蔵するとともに、前記キャップと容器本体の少なくとも一方が摩擦体となることを要件とする。
更に、クリップを備えてなること、前記キャップの前端又は容器本体の後端が摩擦部分となること、前記キャップの後部が容器本体の開口部内に挿入されてキャップ嵌合するとともに、前記キャップ後部が摩擦部分となること、前記キャップの後部が容器本体の開口部内に挿入係止される小径部であり、前部が摩擦部分となる大径部であることを要件とする。
更に、前記いずれかに記載の筆記具レフィル収納体を構成する筆記具レフィルが収容される筆記具本体を要件とし、前記筆記具本体が摩擦体を備えておらず、筆記具レフィル収納体のキャップと容器本体の少なくとも一方が摩擦体として装着可能であることを要件とする。
更に、前記筆記具本体が係止孔を有し、前記係止孔に前記摩擦体が嵌合、係合、螺合、挟持のいずれかの方法で装着されること、前記筆記具本体が保護キャップを有し、前記保護キャップの頂部に摩擦体が前端突出状態で取り付けられること、前記筆記具本体がペン先出没用のスライドレバーを有し、軸筒の頂部に摩擦体が前端突出状態で取り付けられることを要件とする。
更には、前記いずれかに記載の筆記具レフィル収納体と、前記いずれかに記載の筆記具本体とからなる筆記具セットを要件とする。
尚、本発明において「上」、「前」とは、容器本体の開口部方向を示し、「下」、「後」とは、容器本体の底部（閉鎖部）側を示す。また、筆記具本体において、「前」とはペン先側を示し、「後」とは軸筒側を示す。
【発明の効果】
【０００８】
本発明により、レフィル収納体を構成する成型容器形態のケースを廃棄することなく、摩擦体として再利用することができるため、別体で提供される空の筆記具本体に摩擦体が設けられていない場合であっても、収納体内の熱変色性インキを内蔵するレフィルを新たに収容することで、熱変色性インキによる筆跡を筆記後にケースを用いて容易且つ確実に熱変化させることができる実用性に優れたものとなる。また、摩擦体を備えていない筆記具本体にキャップ等の収納体外装部材（ケース）が摩擦体として取り付けられることで、一本の筆記具で書き消し（色変化）ができる利便性の高いものとなる。そのため、熱変色性レフィルのカスタマイズ筆記具への適用が可能なものとなる。更に、筆記具レフィル収納体と筆記具本体をセットとすることで、ユーザーが使用方法に迷うことなく確実に組み付けて筆記と消去や色変化を行うことができる。
【図面の簡単な説明】
【０００９】
【図１】本発明の筆記具レフィル収納体の一実施例を示す要部縦断面図である。
【図２】図１の筆記具レフィル収納体のキャップ取り外し状態（後ろ差し状態）を示す外観図である。
【図３】本発明の筆記具レフィル収納体の他の実施例を示す縦断面図である。
【図４】本発明の筆記具レフィル収納体の他の実施例を示す縦断面図である。
【図５】本発明の筆記具レフィル収納体の他の実施例を示す要部縦断面図である。
【図６】本発明の筆記具レフィル収納体と、筆記具本体の実施例を示す外観図である。
【図７】図６の筆記具レフィル収納体と筆記具本体（ｂ）をセットとした実施例を示す外観図と、その筆記具レフィル収納体のキャップとレフィルを筆記具本体に組み付けた実施例を示す縦断面図である。
【図８】図５、図６の筆記具レフィル収納体と、図６の筆記具本体を什器に陳列した筆記具セットを示す正面外観図である。
【発明を実施するための形態】
【００１０】
＜筆記具レフィル収納体＞
本発明の筆記具レフィル収納体は、インキを内蔵するインキ収容筒とチップから少なくともなる筆記具レフィルが、一端を開口する容器本体内に収納されるものであり、更に前記容器本体の開口部が着脱自在なキャップによって封鎖されるものである。
【００１１】
前記容器本体は、一端（上方）を開口し、内部にレフィル収納部を形成するように底面（閉鎖又はレフィルが落下しない大きさの孔部を有する部分）を他端（下方）に備えた筒状物であり、金属、木材、樹脂等から形成されるものであるが、成形性が高く、安価に得られることから樹脂が好適である。また、外周や内部の径方向断面形状としてはどのような形状であってもよいが、一本収納の場合、内部（レフィル収納部）はレフィルのインキ収容筒断面と同形状とすることが好適であり、より好ましくは円形に形成される。これにより、収納状態での内部の空スペースが一定となり、保持し易いものとなる。また、複数本収納する場合、同じ理由からレフィルを並べた形状に合わせた内部形状とすることが好ましい。
尚、樹脂成形物とした場合、前記容器は透明、不透明のいずれであってもよい。透明性を有する材質で形成した場合には、外側から筆記具レフィルが視認でき、不透明とした場合には、転写等を要せず装飾性に優れた外観を形成できる。
更に、前記容器本体は、一部材で構成される他、軸体の開口部近傍でレフィルを保持するホルダーや尾栓形態の部品を用いた構成であってもよい。この場合、容器本体を複雑な形状とすることが可能となるため、キャップ嵌合、レフィル挟持等、細かな寸法規定による効果が得易いものとなる。
更に、クリップや転がり防止用の突起等の装飾体を設けることで、保管時の利便性を向上させることもできる。
【００１２】
また、前記容器本体の内壁部には、筆記具レフィルを挟持（即ち、２以上の略対向箇所での保持）するための保持部を一体又は別部材によって形成することもできる。これにより、収納状態のレフィルが一定の位置で保持され、レフィルが収納状態で容器内を移動することがなくなるため、キャップが外れた状態で容器開口部が下向きになってもレフィルが落下することなく収納状態を維持できる。
前記保持部は壁面全体であってもよいが、部分的にリブや突起等を設けることが好ましい。尚、前記突起としては、同形状の複数個を円周状に等間隔に配置することが好ましい。
特に、容器開口部に別体のホルダー部材（貫通孔を有する）を嵌合形成する場合、レフィルの外径に合わせて貫通孔内壁を保持部としたり、貫通孔内壁にリブや突起等からなる保持部を形成することが好ましい。この場合、保持部を別体で形成することが容易となるため、より精度の高い寸法で形成できる。また、前記ホルダー部材には、キャップを嵌合する嵌合部を形成することもでき、より気密性が高いキャップ嵌合が可能となる。
【００１３】
また、別体で尾栓を用いる場合には、底面から上方に延設される保持部を形成し、容器内壁でレフィルを挟持する構造をとることもできる。この場合、尾栓の上方延設部分を環状に形成し、該環状部分にレフィルを挿入保持する構造が好ましい。尚、前記尾栓には、容器の内外を貫通する空気孔を形成し、キャップ着脱時の空気流路を確保することもできる。
更に、尾栓の下方部分に、キャップを後ろ差しできるような嵌合部を形成することもでき、レフィルを取り出す際等にキャップが紛失することを抑制できる。
【００１４】
尚、容器本体を摩擦体とする場合、全体を摩擦体となる材質で形成して使用される他、硬質材料により形成した軸体に、弾性材料を貼着、嵌合、二色成形等で設けることができる。また、別体のホルダー部材や尾栓を容器に取り付ける場合、それらの端部（露出部）を摩擦体となる材質（形状）で構成することができる。ホルダー部材を摩擦体材料で構成した場合、レフィルを弾性挟持できるため、レフィルの抜き差しがし易くなり、尾栓を摩擦体材料で構成した場合、落下時の衝撃が弾性緩和され、レフィル保護力が高くなる。そのため、容器本体を摩擦体とする場合、開口部（ホルダー部材）や後端部（底面や尾栓）に摩擦部分を設定することが好ましい。前記ホルダー部材や尾栓は取り外し可能とし、それ単体で摩擦体として使用したり、筆記具本体に装着できる構成とすることもできる。
【００１５】
前記キャップは、容器開口部を外側被覆や挿入嵌合等の構造で封鎖（ペン先、レフィルが通過できない孔部を有するものを含む）できる形状の着脱部材である。
レフィルがペン先側を突出して収納される場合、前記キャップ内には、収納状態のレフィルのチップ先端を保護する中栓を内設することもできる。尚、キャップ全体やペン先接触部分を摩擦体となる弾性材料で構成した場合には、キャップ自身が中栓と同様に作用する。そのため、ホットメルト保護膜を用いることなく乾燥やペン先からの不用意なインキ漏れを抑制できるとともに、保護膜を剥がす必要がなく取り出したレフィルを直ちに使用できるものとなる。これはペン先下向きで容器内に収納した際には、弾性を有する尾栓とペン先を接触保持させる場合にも同様の効果が得られる。
また、レフィルのペン先側を開口部から突出して収納した際、前記キャップが容器本体後端に嵌着可能な構造を適用した場合には、キャップを後ろ差しにした状態で筆記具レフィル収納体単独での筆記も可能となり、短寸レフィルを収納した場合であっても筆記時の全長を長くすることができる。更に、キャップ先端が摩擦体である場合には、後ろ差しでの筆跡擦過が可能となる。そのためキャップを摩擦体とする場合、先端部や後端部に摩擦部分を設定することが好ましい。
更に、クリップや転がり防止用の突起等の装飾体を設けることで、保管時の利便性を向上させることもできる。
【００１６】
前記容器本体やキャップを摩擦体とする際、摩擦熱によって筆跡を消色又は変色させるための摩擦部分がそれらの全体又は部分的に配置される。
前記摩擦体としては、弾性感に富み、摩擦時に適度な摩擦を生じて摩擦熱を発生させることのできるエラストマー、プラスチック発泡体等の弾性体が好適である。
前記摩擦体（摩擦部分）の材質としては、オレフィン系、スチレン系、ウレタン系、ポリエステル系、フッ素系等の熱可塑性エラストマーや、シリコーン系、エポキシ系、ウレタン系、メラミン系、尿素系、フェノール系等の弾性樹脂材料が挙げられ、特に、シリコーン樹脂やＳＥＢＳ樹脂（スチレンエチレンブチレンスチレンブロック共重合体）、ＳＢＳ樹脂（スチレンブタジエンスチレン共重合体）、ポリエステル系樹脂等が好適に用いられる。更に、成形性を考慮し、ポリプロピレン樹脂及びスチレン系熱可塑性エラストマーの混合物、ポリプロピレン樹脂及びポリプロピレン系熱可塑性エラストマーの混合物等、硬質樹脂と弾性材料のブレンド物を適用することもできる。尚、消しゴムを使用して筆跡を摩擦することもできるが、摩擦時に消しカスが発生するため、前述の弾性体が好適に用いられる。
【００１７】
前記容器本体に収納される筆記具レフィルは、熱変色性インキを内蔵するインキ収容筒に、マーキングペンチップやボールペンチップ等のペン先部材を筆記先端部として装着したものであり、マーキングペンやボールペン等の筆記具本体に交換可能なレフィル形態のインキ収容体であるが、熱変色性インキの代わりに熱変色性固形芯を用いることもでき、この場合、筆記具レフィルとしてシャープペンシルユニットを適用することもできる。
【００１８】
前記熱変色性インキを内蔵するインキ収容筒としては、例えば、ポリエチレン、ポリプロピレン、ポリエチレンテレフタレート、ナイロン等の熱可塑性樹脂からなる成形体や、ステンレスパイプ等の金属加工体が用いられる。特に、前記インキ収容筒として透明、着色透明、或いは半透明の樹脂成形体を用いた場合には、外側からインキ色やインキ残量を確認できるものとなる。
尚、前記インキ収容筒にはチップを直接連結する他、接続部材を介して前記インキ収容筒とチップを連結したものが用いられる。特に、金属加工体や着色不透明樹脂成形体からなるインキ収容筒に接続部材を介してチップを接続する際、前記接続部材を透明性を有する樹脂により形成することで、接続部材を介してレフィル内のインキ有無が確認できるものとなる。
【００１９】
前記ボールペンチップとしては、金属製のパイプの先端近傍を外面より内方に押圧変形させたボール抱持部にボールを抱持してなるチップ、或いは、金属材料をドリル等による切削加工により形成したボール抱持部にボールを抱持してなるチップ、金属又はプラスチック製チップ内部に樹脂製のボール受け座を設けたチップ、或いは、前記チップに抱持するボールをバネ体により前方に付勢させたもの等が適用できる。
また、前記ボールは、超硬合金、ステンレス鋼、ルビー、セラミック、樹脂、ゴム等の０．１５〜２．０ｍｍ、好ましくは０．２５〜１．２ｍｍ程度の外径のものが適用できる。
【００２０】
また、マーキングペンチップとしては、繊維の樹脂加工体、熱溶融性繊維の融着加工体、フェルト体等の従来汎用の気孔率が概ね３０〜７０％の範囲から選ばれる連通気孔の多孔質部材が用いられ、一端を砲弾形状、長方形状、チゼル形状等の目的に応じた形状に加工して実用に供される。
前記マーキングペンチップを適用する場合、インキ収容筒内に繊維集束体からなるインキ吸蔵体を内蔵し、チップを直接或いは中継部材を介して連結したり、インキとチップの間に、ペン先の押圧により開放する弁体や、櫛溝状のインキ流量調整部材を介在させることが好ましい。
【００２１】
前記インキ収容筒に内蔵されるインキとしては、前記摩擦体による擦過加熱（摩擦熱）で色変わりするものであれば可逆熱変色性、不可逆熱変色性を問わず使用でき、例えば、剪断減粘性を有する水性ゲルインキ、低粘度の水性インキ、低粘度の油性インキ、高粘度の油性インキ、エマルションインキ等、チップの種類に応じて汎用のインキが適用できる。尚、インキに添加される熱変色材料（着色剤）の高温側変色点（即ち、加熱により変色する温度）としては、５０〜９５℃の範囲に設定することが好ましく、特に、摩擦熱での変色・消去性を考慮すると６０〜８５℃がより好ましい。
また、前記インキに適用される着色剤としては、熱変色材料とともに、汎用の染料、顔料、金属光沢調顔料、蛍光顔料、酸化チタン、フォトクロミック材料等を用いたものであってもよい。
【００２２】
更に必要に応じて、インキ収容筒に内蔵されるインキの後端には、インキの消費に伴って前進する高粘度流体からなるインキ追従体を密接配置することもできる。また、高粘度流体と共に固体の追従体を併用することもできる。
【００２３】
前記構成からなる筆記具レフィル収納体の外面には、収納するレフィルに関する情報表示も可能であり、収容可能な筆記具本体の名前や品番の他、例えば、内蔵するインキ色（変色前後の色相を含む）やペン先の種類、筆跡の太さやボール径等を表示することで、収納状態のレフィル情報をユーザーに開示できる。また、レフィルの交換方法や摩擦体の使用方法（筆跡の変色方法）等の使用方法を記載することもできる。
【００２４】
更に、前記筆記具レフィル収納体は、レフィルを収納していない空の筆記具本体に着脱可能に取り付けて筆記具セットとすることや、複数本同士のレフィル収納体と空の筆記具本体（レフィルの色数やボール径、異形状や異機構の筆記具本体等）を組み合わせて陳列した筆記具セットとすることで、筆記具としての構成を明確にした販売をすることもできる。そのため、筆記具本体に摩擦体を有さない場合に特に有用である。尚、筆記具セットとしては、レフィル収納体と筆記具本体とを着脱自在な構造とする他、シュリンクフィルムやセリース袋、ケース等で組み合わせる少量セット化や、什器形態で組み合わせる販売セット等が挙げられる。
この場合、収納するレフィルは熱変色性インキを内蔵するものだけでなく、熱変色性／非熱変色性の固形芯や汎用の非変色性インキを内蔵するもの、シャープペンユニット、消しゴムユニット、タッチペンユニット等を組み合わせることで、商品性の高い筆記具群を構成できる。また、筆記具本体も、レフィルを一本収容するものに限らず、複数本収容できるものであってもよく、キャップ式、出没式等を問わず用いることができる。更に、摩擦体単独のものや消しゴムをセットすることもできる。
【００２５】
＜筆記具本体＞
本発明の筆記具本体は、前述の筆記具レフィル収納体に収納される筆記具レフィルが、一本又は二本以上収容可能な筆記具外装であり、前記筆記具レフィルの長さや外径、栓体の有無等に応じた収容部を備えている。
本発明においては、筆記具レフィル収納体の外装（キャップ付容器）が筆跡を摩擦するための摩擦体として機能するため、従来から市販されている摩擦体を備えていない汎用構造の筆記具の外装（レフィルを収容しない状態）をそのまま筆記具本体として使用することができる。
【００２６】
また、前記筆記具本体は、筆記具レフィル収納体の摩擦体となるパーツが装着できる構造とすることができる。この場合、筆記具による筆跡を装着した摩擦体で摩擦変色することができるため、特に利便性の高いものとなる。
前記装着方法としては、例えば、筆記具本体に係止孔を設け、前記係止孔に前記摩擦体となるパーツを嵌合、係合、螺合、挟持等の方法で装着する構造や、筆記具本体に係止凸部を設け、前記係止凸部に前記摩擦体となるパーツの凹部を被覆して嵌合、係合、螺合等の方法で装着する構造、接着等の方法が挙げられる。尚、前記係止孔を設ける場合には、孔部をイヤホンジャックが挿入保持できる構造として装飾体を取り付けることも可能である。
前記摩擦体の装着位置としては、キャップ式筆記具における保護キャップの頂部や軸筒の後端部、出没式筆記具における軸筒の頂部や押圧操作部、ペン先出没口の近傍等が挙げられ、クリップを備えたものにおいては、クリップに着脱できるような構造とすることもできる。具体的には、保護キャップを有する筆記具本体において、保護キャップの頂部に摩擦体が前端突出状態で取り付けられる構造や、ペン先出没用のスライドレバーを有する筆記具本体において、軸筒の頂部に摩擦体が前端突出状態で取り付けられる構造等が適用できる。
【００２７】
＜筆記具セット＞
前記筆記具本体と筆記具レフィル収納体を組み合わせて筆記具セットとすることができる。この場合、前記筆記具本体が収容可能な筆記具レフィルの本数に合わせて、前記筆記具レフィル収納体を一緒にセリース袋やケース等に収容したり、シュリンクフィルムで一体とすることで単体セットとすることができる。前記形態では、筆記具本体に付属の収納体の筆記具レフィルを組み付けることで熱変色性筆記具を構成でき、収納体外装部分を摩擦体として使用できるため、使用方法に迷うことがない商品となる。
【００２８】
また、前記筆記具本体と筆記具レフィル収納体の複数同士を什器形態で組み合わせることで、ユーザーが所望のものを選択してオリジナルの熱変色性筆記具を構成できるカスタマイズ効果の高い販売セットとすることもできる。この場合、筆記具レフィル収納体に収納するレフィルとして、汎用の非変色性インキを内蔵する筆記具レフィルや、シャープペンユニット、消しゴムユニット、摩擦体ユニット、タッチペンユニット等を組み合わせることで、カスタマイズ効果を高め、より商品性が高い筆記具群を構成できる。更に、単独の摩擦体や消しゴムの他、前記筆記具本体に装着可能な摩擦体や消しゴム等をセットすることもできる。
【実施例】
【００２９】
本発明の実施例を以下の図面に従って説明する。
図１は本発明の第一の形態の筆記具レフィル収納体を表す図であり、図２は図１のキャップ後ろ差し状態を表す図である。また、図３は第二の形態の筆記具レフィル収納体、図４は第三の形態の筆記具レフィル収納体、図５は第四の形態の筆記具レフィル収納体をそれぞれ表す図である。
また、図６は、第五の形態の筆記具レフィル収納体と、それに対応する三種類の筆記具本体（ａ）〜（ｃ）であり、図７は、図６の筆記具本体（ｂ）と筆記具レフィル収納体からなる筆記具セットの外観図と、熱変色性筆記具とした状態の断面説明図である。
図８は、複数の筆記具レフィル収納体と筆記具本体を陳列形態の筆記具セットとした際の正面視認説明図である。
【００３０】
実施例１（図１、図２参照）
図１の筆記具レフィル収納体１は、開口部２１をキャップ３で開閉する容器本体２内に、インキ収容筒６とチップ５を備えた筆記具レフィル４が、インキ収容筒６の一部を開口部２１から突出した状態で収納するものである。
【００３１】
筆記具レフィル４は、前端にボールが回転可能に抱持されたボールペンチップ５と、該ボールペンチップ５を前端に備え且つ後端が開口された金属製パイプからなるインキ収容筒６とから構成され、チップ５とインキ収容筒６は、透明性を有する樹脂製接続部材７によって接続されている。更に、チップ５を補強するためのチップホルダー５１がチップ５下方及び接続部材７上方を被覆することでレフィル外装を形成している。
尚、前記ボールペンチップは、金属製パイプの先端近傍を外面より内方に押圧変形させたボール抱持部にボールを抱持し、前記ボールを弾発体で前方に付勢して前端縁部の内面にボールを密接させた構造である。また、前記ボールペンチップは、インキ収容筒６の前端開口部に圧入等により直接取り付けて固着することもできる。
また、前記インキ収容筒６の内部には、マイクロカプセル形態の可逆熱変色性着色剤を含む剪断減粘性水性インキ（熱変色性インキ）が内蔵され、更に、インキの後端に、インキの消費に伴って前進する高粘度流体からなるインキ追従体が充填される。
【００３２】
本実施形態では筆記具レフィル４としてボールペンレフィルを採用しているが、ペン先に繊維や樹脂からなるマーキングペンチップを用いたマーキングペン形態のレフィルや、熱変色性固形芯を用いたシャープペンシル形態のレフィル（シャープペンシルユニット）を適用することも可能である。更に、インキ収容筒６内に繊維収束体や櫛歯状インキ流量調整部材を収容することもできる。
【００３３】
前記筆記具レフィル４を収納する容器本体２は、レフィル４の挿入（収納）、取り出しを行う開口部２１を上端に有し、下端（底部）をレフィル４が保持できるようにした容器であり、本実施形態では、透明ポリプロピレン製パイプの上端に、貫通孔を有するホルダー部材２２を圧入嵌合するとともに、下端に前記ホルダー部材２２と略同形状の尾栓２５を圧入嵌合することで容器本体２が形成される。尚、前記ポリプロピレン製パイプの外面には、収納するレフィル４のボール径、インキ色、品番、価格、適用可能な筆記具本体に関する情報が記載されたシールが貼着されており、ユーザーに様々な情報を提供している。
【００３４】
前記ホルダー部材２２には、環状リブからなる保持部２３が貫通孔内面に形成されており、上方突出部分の外面には環状リブからなるキャップ嵌合部２４が形成されている。いずれも一つのＳＥＢＳ製樹脂部材として一体成形されている。
前記保持部２３は、収納するインキ収容筒６の外径に合わせて対向箇所で挟持可能となる寸法に内壁面からの高さが設定される。尚、本実施形態では開口部（内壁端部）にリブがリング状に形成されているがこれに限らず、複数のリブを軸方向に形成することや、幅広リング状とすることもできる。また、複数の突起等により形成することもできる。
また、前記キャップ嵌合部２４は、キャップ３の開口部内面と嵌合される箇所であり、キャップ３の内径寸法に応じてホルダー部材２２外面からの高さが設定されている。尚、前記形状に限られるものではなく、複数の突起を等間隔に形成することもできる。
【００３５】
同様に、前記尾栓２５は、貫通孔内部の上端にインキ収容筒６を挟持するための環状リブが第二の保持部（第二保持部２６）として形成されるとともに、下側の突出部分外面に、キャップ３を後ろ差しするための環状リブがキャップ嵌合部２４としていずれも一体に形成されたＳＥＢＳ樹脂成形体である。
前記第二保持部２６は、収納するインキ収容筒６の外径に合わせて対向箇所で挟持可能となる寸法に内壁面からの高さが設定される。尚、本実施形態では上端（内壁端部）にリブがリング状に形成されているがこれに限らず、複数を軸方向に形成することや、幅広リング状とすることもできる。また、複数の突起等により形成することもできる。
開口部２１側と尾栓２５側の二箇所でレフィル４が保持されるため、チップ５に径方向の負荷がかかっても収納状態のレフィル４がぐらつくことがなくなる。そのため、キャップ３を外した筆記具レフィル収納体１で直接筆記することが可能となり、簡易筆記具として使用できる。
また、尾栓２５にキャップ嵌合部２４が形成されており、キャップ３を外した際に、尾栓側にキャップ３を嵌合できるため、レフィル引き抜き時のキャップ紛失を抑制できる。更に、後ろ差し状態での筆記や摩擦が可能となるため、短寸レフィルを収納した場合や、小さなキャップ（摩擦体）であっても、筆記時や摩擦時に筆記具レフィル収納体１の全長を長くすることができる。
【００３６】
前記容器本体２に筆記具レフィル４を後端側（即ち、インキ収容筒６側）から収納した際、インキ収容筒６の後端部分が尾栓２５の第二保持部２６に保持された状態でインキ収容筒６の上側の一部がチップ５とともに容器本体開口部２１から外側（上方）に突出される。そのため、容器本体２から筆記具レフィル４を引き抜く際にレフィル４を直接挟持することができ、片手で容器本体２外面を把持することにより、両手を使ってレフィル４を確実に引き抜くことが可能となる。尚、収納されるレフィル４は、チップ側から挿入してチップ下向き状態で収容することもできる。
また、前記容器本体２は、ホルダー部材２２と尾栓２５が摩擦体として機能するが、外方縁部を面取りして摩擦部分２７とすることで、筆跡（紙面）を擦った際に安定感のある摩擦がし易い構造となっている。尚、面取りをしない場合には、微細部分の擦過性に優れたものとなる。
【００３７】
前記キャップ３は、突出状態で容器本体２に収納されるレフィル４を、チップ５側から被覆して開口部２１を封鎖することで、容器本体２と併せて内部のレフィル４を保護するものである。また、インキ収容筒６に収容されるインキと同様の色相（着消色前又は変色前後のいずれか）に着色することで色表示部として機能している。
本実施形態のキャップ３は、ＳＥＢＳ樹脂製の略筒状成形部材であり、貫通孔前方の細孔部分でチップ５を保護するとともに、後方の太孔内壁がキャップ嵌合部２４と嵌合する構造となっている。
キャップ３は全体が摩擦体として機能するが、上方縁部を面取りして摩擦部分３１とすることで、筆跡（紙面）を擦った際に安定感のある摩擦がし易い構造となっている。尚、面取りをしない場合には、微細部分の擦過性に優れたものとなる。
【００３８】
前記構成により、レフィル収納時の筆記具レフィル収納体１は、落下や輸送時の衝撃等から筆記具レフィル４を確実に保護できるものとなる。また、レフィル使用時には、キャップ３を外した後、容器本体２から筆記具レフィル４を取り出す際、突出するチップ側のインキ収容筒６を直接挟持して確実に引き抜くことができるため、開口部２１とレフィル４の接触角度による負荷をかけることなく、垂直に引き抜くことが容易なものとなる。そのため、レフィル取出時にインキ収容筒６やチップ５が曲がることや外れることを確実に抑制できる。
また、外したキャップ３を尾栓２５に形成されるキャップ嵌合部２４に嵌合することで、レフィル引き抜き時のキャップ紛失を抑制できるとともに、後ろ差し状態での筆記や摩擦（擦過）が可能となるため、筆記具レフィル収納体１の全長を長くした操作性が高い状態で筆記や摩擦をすることができる。
【００３９】
更に、キャップ３と容器本体２（ホルダー部材２２と尾栓２５）が摩擦部分２７，３１として作用するため、筆記具レフィル４を筆記具本体に収容した後の、空になったケース（容器本体２とキャップ３からなる）を熱変色性筆記具用の摩擦体として用いることが可能となる。そのため、従来は廃棄されていたものを再利用でき、経済性に優れたものとなる。尚、前記ホルダー部材２２や尾栓２５は着脱自在とすることで、それ単体で摩擦体として使用できる。その場合、筆記具本体に装着することもできる。
【００４０】
実施例２（図３参照）
図３で示す本実施例の筆記具レフィル収納体１では、透明性を有する着色ポリプロピレン樹脂製パイプをインキ収容筒６とし、金属材料をドリル等による切削加工により形成したボール抱持部にボールを抱持して該ボールをスプリング（図示せず）で前方に付勢したチップ５を樹脂製接続部材７によって接続した筆記具レフィル４が収納されている。尚、前記インキ収容筒６内には、熱変色性インキ６１及び液栓６２が接触状態で内蔵されている。
【００４１】
前記レフィル４をペン先突出状態で収納する容器本体２は、上下両端に段部を有する着色不透明のポリプロピレン製パイプの下端に、尾栓２５を圧入嵌合することで底部を封鎖しており、上端の開口部２１及び後端へのキャップ嵌合が可能な構造で容器本体２が形成される。
前記尾栓２５は、上方に係止突起２８を備えた着色ポリプロピレン樹脂製部材であり、パイプの下側段部に係止される位置で嵌合している。尚、前記係止突起２８はレフィル４後端と緩やかに嵌合し、キャップ３を外した状態でペン先下向きとなった際に脱落することがなく、レフィル４取出時には容易に取り出せる状態に保持している。
【００４２】
前記キャップ３は、突出状態で容器本体２に収納される筆記具レフィル４を、チップ５側から被覆して開口部２１内側と後方部分外面で嵌合するものであり、クリップ３２が外面に一体成形により設けられている。前記キャップ３はポリプロピレン樹脂とスチレン系熱可塑性エラストマーが１：３で混合された弾性材料に着色剤を添加して射出成形することで形成されており、クリップ３２を含むキャップ３全体が摩擦体として機能するものである。尚、上方縁部を面取りして摩擦部分３１とすることで、筆跡（紙面）を擦った際に安定感のある摩擦がし易い構造となっている。
また、クリップ３２により、被服や文具等への係止や、転がり防止機能を有するとともに、インキ色への着色により、色表示機能を有するものとなっている。
更に、容器本体２後端への後ろ差しが可能であるため、レフィル引き抜き時のキャップ紛失を抑制できる。その際、後ろ差し状態での筆記と摩擦が可能となるため、短寸レフィルを収納した場合であっても、全長を長くして使用感の高い簡易筆記具、摩擦具とすることができる。
【００４３】
更に摩擦体としては、キャップ３単独で使用ができる他、容器本体２との嵌合状態とすることで、棒状摩擦体を形成できるため、把持し易いものとなり、摩擦部分３１での筆跡擦過による変色（消色）効果をより発現し易いものとなる。そのため、レフィル４を筆記具本体に収容した後の、空となったケースを熱変色性筆記具用の摩擦体として用いることが可能となり、従来廃棄されていた部材が再利用できる。また、クリップ３２により、筆記具と並べてのポケット挿しが可能な携帯性に優れたものとなる。
【００４４】
実施例３（図４参照）
図４で示す本実施例の筆記具レフィル収納体１では、実施例２の筆記具レフィル４に対して、インキ収容筒６後端に栓体８を取り付けたものを用いている。
【００４５】
前記筆記具レフィル４を容器開口部２１にペン先没入状態で収納する容器本体２は、透明ポリプロピレン製パイプの下端に、尾栓２５を圧入嵌合することで底部を封鎖しており、上端の開口部２１内にキャップ後方の凸部３３を挿入して嵌合することが可能な構造で形成される。
前記尾栓２５は、上方を筒状としてパイプ内面と嵌合することで栓体８を保持するとともに、後端を露出してなる着色ＳＥＢＳ樹脂製の略円筒部材である。前記露出部分の外縁を面取りして摩擦部分２７とすることで、筆跡（紙面）を擦った際に安定感のある摩擦がし易い構造となっている。
尚、前記ポリプロピレン製パイプの外面には、収納する筆記具レフィル４のボール径、インキ色、品番、価格、適用可能な筆記具本体に関する情報が記載されたフィルムが転写されており、ユーザーに様々な情報を提供している。
【００４６】
前記キャップ３は、外面に環状リブを有する凸曲面形状の突起（凸部３３）を下方に備え、該凸部３３を容器本体２の開口部２１に挿入することで環状リブが開口部２１内面で嵌合する。その際、下端部がボールペンチップ先端（ペン先５）と接触することで、収納状態の筆記具レフィル４のチップ先端を保護している。これによりホットメルト保護膜を用いることなくペン先からの不用意なインキ漏れを抑制できるとともに、保護膜を剥がす必要がなく取り出したレフィルを直ちに使用できる。また、キャップ３と尾栓２５が弾性を有するため、レフィル収納状態における各パーツの寸法誤差を吸収できる構造となっている。
尚、本実施形態での凸部３３は、開口部封鎖時にペン先５の先端と接触する構造を有しているが、取出時（キャップ開放時）にレフィル４がキャップ３と一緒に移動できるように、ペン先５を挟持する構造とすることもできる。
また、キャップ３は全体が摩擦体として機能するものであるが、上方縁部を面取りして摩擦部分３１とすることで、筆跡（紙面）を擦った際に安定感のある摩擦がし易い構造となっている。尚、面取りをしない場合には、微細部分の擦過性に優れたものとなる。
【００４７】
前記構成により、レフィル収納時の筆記具レフィル収納体１は、落下や輸送時の衝撃等から筆記具レフィル４を確実に保護できるものとなる。特に、上下方向からの衝撃を弾性吸収できるため、落下衝撃に対する保護材としてより有用である。
【００４８】
更に摩擦体としては、キャップ３と容器本体２（尾栓２５）が摩擦部分２７，３１として作用するため、それぞれ単独で使用できる他、キャップ３と容器本体２とを嵌合状態とすることで、棒状摩擦体を形成できるため、把持し易いものとなり、各摩擦部分２７，３１での筆跡擦過による変色（消色）効果をより発現し易いものとなる。そのため、筆記具レフィル４を筆記具本体に収容した後の、空になったケース（容器本体２とキャップ３からなる）を熱変色性筆記具用の摩擦体として用いることが可能となる。そのため、従来は廃棄されていた部品の再利用でき、経済性に優れたものとなる。
また、キャップ３を単独で摩擦体として使用する場合、上方外側部分と下方の凸部３３が摩擦部分３１として作用するため、紙面と接触する面積が異なる摩擦箇所（面取り部分と曲面部分）が得られ、擦過摩擦したい筆跡の大きさに応じて使い分けることができる利便性の高いものとなる。
【００４９】
使用例１
実施例３の筆記具レフィル収納体１と、内部の筆記具レフィル４が収容可能な空の筆記具本体（軸筒が分割可能な後端ノック出没式）とをシュリンクフィルムの熱収縮により組み合わせることで筆記具セットとした。
前記筆記具セットでは、ユーザーが空の筆記具本体に付属のレフィル収納体１内の筆記具レフィル４を新たに収容することで熱変色性筆記具として使用できるものとなる。その際、摩擦体としてレフィル収納体１のケース（即ち、容器本体２とキャップ３）を別体で使用することができるため、熱変色性筆記具による筆跡に対して摩擦（色変わり）を容易に行うことができる。従って、摩擦体を有さない汎用形状の筆記具本体に対して熱変色性インキを内蔵するレフィルを収容した場合であっても、摩擦体による筆跡の色変わりや消色が確実にできるものとなる。
また、筆記具使用時に廃棄されるシュリンクフィルムに使用方法や商品情報を記載することができるため、筆記具やレフィル収納体（ケース）の装飾性を損なうことなくユーザーに商品情報を提供できる。
尚、組み合わされる空の筆記具本体としては、前述の後端ノック式に限らず、レフィル収納体１内の筆記具レフィル４が収容可能であれば、ペン先を覆うキャップを備えたキャップ式や、サイドノック式、回転式、スライド式等の出没機構を有する他の出没式であってもよい。また、筆記具レフィル４を一本収容するものの他、二本収容して両端にペン先５を備えた両頭式形態としたものや、複数本を収容した複式筆記具であってもよい。この場合、他のレフィルとして、非熱変色性インキを内蔵するものや、シャープペンユニット等を用いることもできる。更に、摩擦体を備えた筆記具本体を用いることもできる。
【００５０】
実施例４（図５参照）
図５に示す本実施例の筆記具レフィル収納体１では、実施例３の筆記具レフィル４（それぞれインキ色が異なる）を三本収納している。
前記各レフィル４をペン先突出状態で収納する容器本体２は、上方に開口部２１を有する略楕円筒状の透明なポリプロピレン成形物であり、三本のレフィルが横並びで入る大きさで底部を封鎖する構造からなり、開口部２１近傍の外面にキャップ３を係止するための環状リブ（キャップ嵌合部２４）が形成されている。
【００５１】
キャップ３は、突出状態で容器本体２に収納される三本のレフィル４を、チップ５側から被覆して開口部２１外面のキャップ嵌合部２４と嵌合する略カップ状の摩擦体であり、ポリプロピレン樹脂とスチレン系熱可塑性エラストマーが１：３で混合された弾性材料を射出成形することで形成される。更に、上側（厚肉部分）の略中心部分に吊下げ陳列ができるように孔部３４が形成されている。
キャップ嵌合時には、内側上面が各ペン先５と接触することで、収納状態の筆記具レフィル４のチップ先端を保護している。
尚、図５では三本の筆記具レフィル４は並列状態で収納されているが、二本のレフィルの間に一本を重ねた俵積み型とすることで、容器本体２を円柱や三角柱形状として省スペース化を図ることができ、載置陳列での見栄えを良くすることもできる。
【００５２】
更に、摩擦体としては、キャップ３単独で使用ができる他、容器本体２との嵌合状態とすることで、柱状摩擦体を形成できるため、把持し易いものとなり、摩擦部分３１での筆跡擦過による加熱変色（加熱消色）効果をより発現し易いものとなる。そのため、レフィル４を筆記具本体に収容した後の、空となったケースを熱変色性筆記具用の摩擦体として用いることが可能となり、従来廃棄されていた部材が再利用できる
【００５３】
使用例２
実施例３の構成からなる筆記具レフィル収納体１を複数本（複数色のインキ６１を用いる）と、実施例４の構成からなる筆記具レフィル収納体１を複数本（複数色インキのレフィル４を収納するものと同色インキのレフィル４を三本収納するもの）と、非熱変色性インキを内蔵した筆記具レフィル４を収納した実施例３の構成の筆記具レフィル収納体１を複数本（複数色のインキを用いる）とからなる筆記具レフィル収納体群とともに、前記収納体内部の筆記具レフィル４が一本収容可能な空の筆記具本体（軸筒が分割可能な後端ノック式とキャップ式）をそれぞれ複数本と、収納体内部の筆記具レフィル４が三本収容可能な空の筆記具本体（軸筒が分割可能なスライドレバー式）複数本とからなる筆記具本体群を、陳列用什器に陳列することで筆記具セットとした。尚、摩擦体単体をセットとして組み込むこともできる。
前記筆記具セットでは、ユーザーが什器から所望の筆記具本体と筆記具レフィル収納体１とを選択し、筆記具レフィル４を筆記具本体内に組み込むことで、オリジナルのカスタマイズ筆記具を作製できるものとなる。その際、筆記具本体に筆跡を摩擦する摩擦体が設けられていない場合であっても、筆記具レフィル４を抜き取った後のケース（容器本体２とキャップ３）を摩擦体として使用できるため、前記ケースを廃棄する必要がなくなるとともに、筆跡の所望箇所を容易且つ確実に摩擦することが可能となり、経済性、商品性、利便性に優れた筆記具セットとなった。
【００５４】
実施例５（図６参照）
実施例３で作製した筆記具レフィル収納体１において、インキ収容筒６後端に取り付けた栓体８を外した状態の筆記具レフィル４を収納することで筆記具レフィル収納体１を得た。尚、尾栓２５の寸法を調整することで凸部３３とペン先（ボールペンチップ）５は略接触状態となっている。
前記凸部３３が後部となる筆記具レフィル収納体１のキャップ３は、後部が容器本体の開口部内に挿入係止される小径部であり、前部が大径部であり、いずれも摩擦部分となる。尚、大径部は任意の像形状とすることもでき、装飾効果を高めることもできる。
また、前記筆記具レフィル収納体１は、各インキ収容筒６に異なる色のインキを内蔵する複数本が形成されており、それぞれのインキ色に対応した色相にキャップ３が着色されている。容器本体２はすべて同じ色相、材料で構成される。
【００５５】
次に、前記筆記具レフィル収納体１の筆記具レフィル４が収容可能な筆記具本体９（ａ）〜（ｃ）について、図６に従って説明する。
筆記具本体９（ａ）はキャップ式筆記具外装である。
筆記具レフィル４が一本収容される軸筒９２は、前軸９２ｂと後軸９２ａとに前後方向で分割可能に螺合されるポリカーボネート樹脂成形物である。前記前軸９２ｂには、ペン先５が突出する先端開口部９２ｄが設けられており、前記ペン先５が保護されるように前軸９２ｂの開口部側を被覆する保護キャップ９３が嵌着されている。
【００５６】
前記保護キャップ９３は、頂部（前側）に摩擦体取付部となる係止孔９１を有するポリカーボネート樹脂成形物であり、外面には転がり防止用の突起を有する。尚、前記保護キャップ９３にはクリップ９４ａを設けることもできる。
前記係止孔９１の内側には、二本のリングビードが形成されており、キャップ３の凸部３３を挿入嵌合できる構造となっている。前記嵌合状態では摩擦体前端（大径部）が突出した状態となるため、前記嵌合状態でキャップ（摩擦体）３の摩擦部分３１を用いて紙面上の筆跡を擦過した際に、キャップ３が係止孔９１から外れることなく摩擦でき、摩擦熱で筆跡を容易且つ確実に変色させることができる。前記係止孔９１へのキャップ３取付方法としては、係合、螺合、挟持等であってもよく、取付方法に合わせた形状とすることができる。
また、保護キャップ９３に摩擦体３を取り付けた際、ペン先５が凸部３３と接触する構造としてもよい。
【００５７】
尚、摩擦体取付部として、前記係止孔９１の代わりに係止凸部を形成することもできる。その場合、図１や図２で示した形状のキャップ３を係止凸部に被覆取付できるため、摩擦体取付部は適用する筆記具レフィル収納体１に応じた形状で設けられる。
【００５８】
筆記具本体９（ｂ）は出没式筆記具外装である。
筆記具レフィル４が一本収容される軸筒９２は、前軸９２ｂと後軸９２ａとに前後方向で分割可能に螺合されるポリカーボネート樹脂成形物であり、前記前軸９２ｂには、ペン先５が出没する先端開口部９２ｄが設けられている。また、後軸９２ａには、出没機構が内設されており、側面から径方向に突出する操作部（スライドレバー）９４の前後操作によってペン先５が出没される。尚、前記操作部９４にはクリップ９４ａを設けることもできる。
【００５９】
前記軸筒９２の頂部（後軸９２ａの後端）には、摩擦体取付部となる係止孔９１を備えている。前記係止孔９１の内側には、二本のリングビードが形成されており、キャップ３の凸部３３を挿入嵌合できる構造となっている。前記嵌合状態では摩擦体前端（大径部）が突出した状態となるため、キャップ（摩擦体）３の摩擦部分３１を用いて紙面上の筆跡を擦過した際に、キャップ（摩擦体）３が係止孔９１から外れることなく摩擦でき、摩擦熱で筆跡を容易且つ確実に変色させることができる。前記係止孔９１へのキャップ（摩擦体）３の取付方法としては、係合、螺合、挟持等であってもよく、取付方法に合わせた形状とすることができる。
また、軸筒９２の頂部に摩擦体３を取り付けた際、操作部９４の後端が凸部３３と接触する構造とすることで、リターン時の衝撃を吸収する構造としてもよい。
尚、摩擦体取付部として、前記係止孔９１の代わりに係止凸部を形成することもできる。
【００６０】
筆記具本体９（ｃ）は筆記具レフィル４が三本収容される複式筆記具外装である。
軸筒９２は、前軸９２ｂと後軸９２ａとに前後方向で分割可能に螺合されるポリカーボネート樹脂成形物であり、前記前軸９２ｂには、エラストマーとの二色成形で形成されるグリップ９２ｃと、ペン先５が出没する先端開口部９２ｄとが設けられている。また、後軸９２ａには、出没機構が内設されており、側面から三個の操作部（スライドレバー）９４が径方向に突出する（軸心に対して均等配置）。前記操作部（スライドレバー）９４は、その前後操作によって、各スライドレバーに接続される筆記具レフィル４のペン先５が出没されるものである。尚、一本の操作部９４にはクリップ９４ａが設けられているが、クリップ９４ａを設けずに他の二個と同形状にすることもできる。
【００６１】
前記軸筒９２の頂部（後軸９２ａの後端）には、摩擦体取付部となる係止孔９１を備えている。前記係止孔９１の内側には、二本のリングビードが形成されており、キャップ３の凸部３３を挿入嵌合できる構造となっている。前記嵌合状態では摩擦体前端（大径部）が突出した状態となるため、キャップ（摩擦体）３の摩擦部分３１を用いて紙面上の筆跡を擦過した際に、キャップ（摩擦体）３が係止孔９１から外れることなく摩擦でき、摩擦熱で筆跡を容易且つ確実に変色させることができる。前記係止孔９１へのキャップ（摩擦体）３の取付方法としては、係合、螺合、挟持等であってもよく、取付方法に合わせた形状とすることができる。
また、軸筒９２の頂部に摩擦体３を取り付けた際、各操作部９４の後端が凸部３３と接触する構造とすることで、リターン時の衝撃を吸収する構造としてもよい。
尚、摩擦体取付部として、前記係止孔９１の代わりに係止凸部を形成することもできる。
【００６２】
前記筆記具本体９（ｃ）は、少なくとも一本が空の状態であればよく、例えば、熱変色しないインキを内蔵した筆記具レフィルを一本又は二本収容しているものであってもよい。また、他の二個と形状が異なるクリップ９４ａ部分にシャープペンシルユニットを装着させた状態であって、係止孔９１に消しゴムを装着したものであってもよい。この場合、熱変色性インキを内蔵するレフィル４を二本収容した後に描いた筆跡は、別体となった容器本体２やキャップ３を摩擦体として用いて摩擦することができる。
【００６３】
前記筆記具本体９（ａ）〜（ｃ）に筆記具レフィル収納体１の筆記具レフィル４を収容し、キャップ３を摩擦体として装着した熱変色性筆記具１０においては、筆跡を摩擦する場合、付属のキャップ３を用いることはもちろん、別体である容器本体２（尾栓２５）を用いて摩擦することもできる。
【００６４】
実施例６（図７参照）
前記実施例５における筆記具レフィル収納体１と、筆記具本体９（ｂ）とをセリース袋１２に収容することで筆記具セット１１とした（右図）。前記筆記具セット１１では、セリース袋１２のヘッダ部分に貫通孔が形成されているため、載置陳列の他、吊り下げ陳列も可能である。
【００６５】
前記筆記具セット１１の筆記具レフィル収納体１から筆記具レフィル４を取り出し、筆記具本体９（ｂ）の軸筒９２内に収容し、更にキャップ３を軸筒９２後端の係止孔９１に摩擦体として装着した組付状態（熱変色性筆記具１０）を図７（左図）に従って説明する。
【００６６】
前記熱変色性筆記具１０は、操作部９４（摺動体９４ａ）のスライド押圧操作によって回転カムを可動し、収容する一本の筆記具レフィル４のペン先５を出没させる出没式筆記具である。
具体的には、軸筒９内の摺動体９４ａ前方に配設されるレフィル保持部９５にレフィル４後方が接続されることで、筆記具レフィル４が前後方向に移動可能な状態で軸筒９２内に収容される。
【００６７】
前記軸筒９２は、筆記具レフィル４のペン先（ボールペンチップ）５を突出可能な先端開口部９２ｄが軸方向に貫設される円筒体である前軸９２ｂと、該前軸９２ｂの後端部と螺合する円筒状の後軸９２ａによって構成され、出没機構が内設される。尚、前記後軸９２ａは、摺動体９４ａを組み付けるために前後方向に分割可能な二部材から構成されており、更に内面には、回転カム誘導用の軸方向溝部が、内周に亘って等間隔に複数本形成されている（図示せず）。前記後軸９２ａの後方側壁（即ち、分割可能部分）には、前後方向に延びる細長状の窓孔が径方向に貫設され、該窓孔から外部に突出するように摺動体９４ａの操作部９４が配設される。
【００６８】
前記摺動体９４ａは、窓孔から外部に突出する操作部９４を備え、該操作部９４のスライド（押圧）操作によりレフィル保持部９５（回転カム）を前方に移動するとともに回転を誘導するように先端に複数の鋸歯状凸部を形成した樹脂成形物である。そのため操作部９４を前方に移動することで、レフィル４のペン先５が先端開口部９２ｄから突出する。
【００６９】
前記摺動体９４ａ前方に配設されるレフィル保持部９５は、レフィル４を挿嵌する接続部材であるとともに、出没機構を構成する回転カムとして機能するものである。
前記レフィル保持部９５は、摺動体前端の鋸歯状凸部と係合可能な段部を後端に備え、前方の略中心にレフィル４が圧入嵌合される挿嵌孔が形成される略円筒状樹脂成形物である。また、円筒外面には、回転カム機構を構成する複数本のリブが、外周に亘って等間隔に形成されている（図示せず）。
更に、前端外縁には、外周に亘って段部が形成され、該段部により圧縮コイルスプリングからなる弾発部材９７の後端を係止している。尚、前記弾発部材９７の前端は、軸筒内に固設される樹脂製の係止部材９６によって係止される。そのため、レフィル保持部９５が弾発部材９６により後方に付勢されており、加えてレフィル保持部９５外周と軸筒内面とで回転カム機構が構成されることで、出没可能な筆記具構造となっている。
【００７０】
前記の後軸９２ａの頂部（分割可能部分の後端）には、軸方向に貫通する係止孔９１が摩擦体取付部として設けられている。前記係止孔９１の開口部近傍内壁面には、二本のリングビードが形成されており、キャップ３の凸部３３が挿入嵌合されている。尚、筆記具レフィル収納体１の容器本体２とキャップ３が螺合する構造である場合には、凸部３３外面の螺旋溝に合わせた形状の溝部を内壁面に形成することで螺合係止できる。この場合、摩擦体大径部で筆跡を擦過した際にキャップ３がより外れ難い構造となる。
【００７１】
前記嵌合状態では摩擦体前端（３１側の大径部）が突出した状態となるため、摩擦部分３１を用いて紙面上の筆跡を擦過した際に、摩擦体３が係止孔９１から外れることなく摩擦でき、摩擦熱で筆跡を容易且つ確実に変色させることができる。
また、前記摩擦体３は、凸部３３が摺動体９４ａの後端と接触する構造とすることで、リターン時の衝撃を吸収する構造となっている。
【００７２】
前記構造からなる熱変色性筆記具１０の筆記時には、摺動体９４ａの操作部９４を前方にスライド押圧することで、回転カムを兼ねるレフィル保持部９５が前方へ移動して回転保持されるため、該レフィル保持部９５前方に嵌着される筆記具レフィル４のペン先５が先端開口部９２ｄから突出した状態で保持され筆記可能状態となる。
前記状態で紙面に形成された熱変色性インキ６１による筆跡は、装着したキャップ（摩擦体）３で摩擦変色させることができる。変色（消去）させる際には、熱変色性筆記具１０を筆記時と前後逆さまに持ち替えて、摩擦体３側を紙面に接触させ、擦過摩擦することで容易且つ確実に摩擦熱を発生させることができる。
筆記後には、操作部９４を前方に押圧して後方にスライドさせることで、弾発部材９７によりレフィル保持部９５が後方に付勢され、該レフィル保持部９５前方に嵌着されるレフィル４のペン先５が先端開口部９２ｄから没入される。
【００７３】
尚、前述の出没式筆記具本体９としては、前記係止孔９１（摩擦体を取付ける部分）を有さない汎用構造のスライドレバー式や、汎用の後端ノック式構造等の市販のものを用いることもできる。この場合、筆記具レフィル４を取り出した別体のケース（容器本体２の尾栓２５やキャップ３部分）が摩擦体として適用される。
【００７４】
実施例７（図８参照）
前記実施例５の筆記具レフィル収納体１と、筆記具本体９と、実施例４で作成した筆記具レフィル収納体（レフィル４が栓体８を備えていない形態）を複数用いた陳列形態の筆記具セットについて図８に従って説明する。
【００７５】
筆記具セット１１に用いられる什器１３は、透明樹脂からなる同形状の載置陳列ケースが後方上段に設けられた二段型什器であり、各陳列ケースの背面には、陳列状態の筆記具本体９よりも高い位置まで延設された装飾板が設けられている。尚、前記装飾板や陳列ケースには、商品名、メーカー名、イラストや写真等の像、使用方法等の情報を記載したり、様々な装飾を施すことができる。
各陳列ケースには、三種類の筆記具本体９（ａ）、９（ｂ）、９（ｃ）及び二種類の筆記具レフィル収納体１（一本又は三本収納）が縦立した状態で前後方向にそれぞれ複数本列立している。
【００７６】
前記複数の筆記具レフィル収納体１としては、複数色の熱変色性インキを内蔵するものと、ペン先のボール径が複数種類のものと、非熱変色性インキを内蔵した筆記具レフィル４を収納したものが筆記具レフィル収納体群として陳列されている。
【００７７】
前記複数の筆記具本体９は、同形状で色相が異なるものが複数本、筆記具本体群として陳列されている。尚、図示はしないが、筆記具本体９として、係止孔９２を有さない汎用構造の筆記具を一緒に陳列することもできる。更に、摩擦体単体を陳列セットとして組み込むこともできる。
【００７８】
前記筆記具セット１１では、ユーザーが什器１３から所望の筆記具本体９と筆記具レフィル収納体１とを選択し、筆記具レフィル４を筆記具本体９の軸筒内に組み込み、係止孔９１にキャップ３を装着することで、オリジナルのカスタマイズ筆記具を作製できるものとなる。前記筆記具で紙面に形成された熱変色性インキ６１による筆跡は、装着したキャップ（摩擦体）３で摩擦変色できるため、利便性が高いものである。
尚、複式筆記具においては、複数本のレフィルを要するので、複数色のキャップ３から所望の色相のものを選んで装着できるため、装飾性が高いものとなる。
【００７９】
また、前記筆記具本体９が係止孔９１を有さないものであっても、筆記具レフィル４を抜き取った後のケース（容器本体２とキャップ３）を別体の摩擦体３として用い、筆跡を摩擦することができる。
従って、前記ケースを廃棄する必要がなくなるとともに、筆跡の所望箇所を容易且つ確実に摩擦することが可能となる。そのため、経済性、商品性、利便性に優れた筆記具セット１１となる。
【符号の説明】
【００８０】
１  筆記具レフィル収納体
２  容器本体
２１  開口部
２２  ホルダー部材
２３  保持部
２４  キャップ嵌合部
２５  尾栓
２６  第二保持部
２７  摩擦部分
２８  係止突起
３  キャップ（摩擦体）
３１  摩擦部分
３２  クリップ
３３  凸部
３４  孔部
４  筆記具レフィル
５  チップ（ボールペンチップ）
５１  チップホルダー
６  インキ収容筒
６１  熱変色性インキ
６２  液栓
７  接続部材
８  栓体
９  筆記具本体
９１  係止孔（摩擦体取付部）
９２  軸筒
９２ａ  後軸
９２ｂ  前軸
９２ｃ  グリップ
９２ｄ  先端開口部
９３  保護キャップ
９４  操作部（スライドレバー）
９４ａ  クリップ
９４ｂ  摺動体
９５  レフィル保持部
９６  係止部材
９７  弾発部材（コイルスプリング）
１０  熱変色性筆記具
１１  筆記具セット
１２  セリース袋
１３  什器
【図１】
2015128891.tif 000003
【図２】
2015128891.tif 000004
【図３】
2015128891.tif 000005
【図４】
2015128891.tif 000006
【図５】
2015128891.tif 000007
【図６】
2015128891.tif 000008
【図７】
2015128891.tif 000009
【図８】
2015128891.tif 000010